(57)【要約】      （修正有）【課題】プルトップ缶飲料にて嗜好により選択可能な飲料を密封性を損なわずに提供する。【解決手段】プルトップ缶容器において、缶蓋１に１個以上の開口用スコア１０１、１０２、１０３と回転可能に固定されたタブ２と缶蓋内面に１個以上の調味料収納部３を開口用スコアの下に固定するとともに、開口用スコアの近辺には内部の調味料に合わせた表示をすることで、顧客が希望する調味料表示位置にタブを回転させた時に、タブを開封位置で位置決めし尚且つ傾け手段を具備することで、タブを引き上げて開封することにより、開口用スコアから破断した破断開口片が開口用スコアの下に固定された調味料収納部を突き破り、希望の調味料を放出させることで調味選択可能とさせたことである。【選択図】図１
0003163303.tif 000002
【実用新案登録請求の範囲】
【請求項１】
飲料を収納するプルトップ缶容器において、缶蓋に２個以上の開口用スコアを形成し、前記缶蓋に回転可能にタブを設置し、前記缶蓋の内面の前記開口用スコアの下に１個以上の調味料収納部を固定し、前記タブの開封操作によって前記開口用スコアから切り裂かれた破断開口片を利用して、前記調味料収納部を突き破り、缶内部に前記調味料を放出することを特徴とする調味選択可能なプルトップ缶。
【請求項２】
前記開口用スコアの下に固定した前記調味料収納部の内容を示す文字や記号を、前記開口用スコアの近辺に表示したことを特徴とする請求項１記載の調味選択可能なプルトップ缶
【請求項３】
前記缶蓋の上面に蓋側段差を形成し、前記タブにはタブ側段差を形成し、開封時に前記タブを開封位置で位置決めし、かつ前記タブの指掛け部の下スペースを拡大させることを特徴とする請求項１記載の調味選択可能なプルトップ缶
【考案の詳細な説明】
【技術分野】
【０００１】
本考案は、嗜好により選択可能な飲料を提供する調味選択可能なプルトップ缶に関するものである。
【背景技術】
【０００２】
プルトップ缶は単一の飲料を単一の味で製造メーカが入れて提供し、消費者は自分の嗜好に近いものを選択し購入するしかなかった。
【０００３】
プルトップ缶で味を変化させる方法としては、開封前にタブを回転させで調味料を放出する方法があった。（例えば、特許文献１参照）
【先行技術文献】
【特許文献】
【０００４】
【特許文献１】特開平５−１６９３９号公報（段落００１４〜００２７、図１）
【考案の概要】
【考案が解決しようとする課題】
【０００５】
しかしながら、開封前にタブを回転させて調味料を放出する方法では以下のような問題があった。
開封操作前に顧客の希望する調味料の位置までタブを回転させて調味料を放出させたのち、タブを開封位置に戻し開封する操作が必要であり、２度の操作をしなければならなかった。
また、開封前にタブを回転させて調味料を放出したのち、タブを元の位置に戻されていると調味料が放出されたものか見分けがることができなかった。
構造としても、缶蓋の外部にあるタブと内部にある爪付き回転部材とを連結させる部品があり、缶蓋の貫通する部分から密封性を悪化させるという問題点があった。
さらに、タブを回転させるため開封位置でのタブの位置が不安定となり開封しにくくなる可能性もあった。
【課題を解決するための手段】
【０００６】
本考案は、このような従来の問題点を解決しようとする調味選択可能なプルトップ缶を、提供することを目的とするものである。
【０００７】
本考案は、飲料を収納するプルトップ缶容器において、缶蓋に２個以上の開口用スコアと回転可能に固定されたタブと缶蓋の内面に１個以上の調味料収納部を開口用スコアの下に固定し、タブの開封操作と同時に開口用スコアから切り裂かれた破断開口片によって、開口用スコアの下に固定された調味料収納部を突き破り、缶内部に調味料を放出する手段をそなえたことを特徴とする調味選択可能なプルトップ缶で、２個以上の開口用スコア近辺には、開口用スコア下の調味料収納部の内容を示す文字や記号を表示したことと、缶蓋上面にある蓋側段差とタブに設けたタブ側段差によって、開封時にタブを開封位置で位置決めする手段とタブの指掛け部の下スペースを拡大させる、タブの傾け手段をそなえたことを特徴とする調味選択可能なプルトップ缶である。
【考案の効果】
【０００８】
本考案のプルトップ缶は、顧客が選択する調味料の開封位置でタブを引き上げることで、開口用スコアから破断した破断開口片によって、開封と同時に缶蓋内面の調味料を放出することができ、一度の操作で出来るようになった。
また、タブを回転させても内部の調味料を放出する構造でないため、開封前には調味料を放出していないことが明確になった。
構造も内部との連結部品がないため、密封性を悪化させないという利点がある、さらに、開封位置でのタブの位置決めを設けることで開けやすいという効果がある。
【図面の簡単な説明】
【０００９】
【図１】本考案のプルトップ缶で同図（ａ）は缶の上から見た缶蓋平面図で、同図（ｂ）                                                                    はＡ―Ａ断面図である。
【図２】図１の缶蓋内面側平面図である。
【図３】本考案のプルトップ缶の開封前を示すもので、同図（ａ）は上から見た缶蓋平面図で、同図（ｂ）はＢ−Ｂ断面図、同図（ｃ）はＣ−Ｃ断面図である。
【図４】本考案のプルトップ缶で顧客が調味料を選択した開封位置を示したもので、同図（ａ）は上から見た缶蓋平面図で、同図（ｂ）はＤ−Ｄ断面図、同図（ｃ）はＥ−Ｅ断面図である
【図５】本考案の調味料収納部を切り裂いた状態を示した缶蓋断面図である。
【図６】他の実施例のプルトップ缶の開封前を示すもので、同図（ａ）は缶の上から見た缶蓋平面図で、同図（ｂ）は缶蓋内面側平面図である。
【図７】他の実施例のプルトップ缶の顧客が選択した調味料での開封位置を示すもので、缶の上から見た缶蓋平面図である。
【考案を実施するための形態】
【００１０】
プルトップ缶にて、顧客の嗜好にあわせた調味料を開封と同時に放出される構造であり、さらに缶の密封性を確保しながら調味料放出構造を実現した。
【００１１】
図１は、本考案のプルトップ缶の実施例１を示し、同図（ａ）は本考案で３種の嗜好に対応する場合のプルトップ缶の上から見た缶蓋平面図で、缶蓋１には開口用スコア（切り込み）１０１，１０２，１０３が１２０度の等分位置にあり、その開口用スコア１０１，１０２，１０３は缶蓋上面１０４から段差をもって絞りこまれた開口面１０５，１０６，１０７にある。また開口面１０５，１０６，１０７には調味料を示す表示１０８，１０９，１１０があり、ここではブラックコーヒー飲料でのシロップを示すＳとミルクを示すＭと調味料を入れないブラックコーヒーを示すＢを表示している。
タブ２は、回転中心となる取付け穴２１に缶蓋上面１０４の中心に缶蓋１と一体で絞り込まれたリベット１１１を通して回転可能に固定されている。タブ２には開口面１０５，１０６，１０７を押す端部２２と指掛け部２３と、タブ側段差として二つのディンプル２４、２５がある。
開口面１０５と１０６の間にも絞り込まれた指逃げ部１１２があり、同様に開口面１０６と１０７の間に指逃げ部１１３があり、開口面１０７と開口面１０５の間に指逃げ部１１４がある。また指逃げ部１１２，１１３，１１４には蓋内部に向かって缶蓋１と一体で絞り込まれたリベット１１５，１１６，１１７がある。
同図（ｂ）はＡ−Ａ断面を示し、缶蓋１の内面側には袋状の調味料収納部３を取り付けたシート５を開口面１０５の両側に配置された、指逃げ部１１２、１１４にあるリベット１１５，1１７で固定されている。
【００１２】
図２は図１の缶蓋内面側平面図を示し、シート５は開口用スコア１０１，１０２，１０３を逃げた扇状の逃げ穴５１，５２，５３があって、缶蓋１とリベット１１５，１１６，１１７で固定されている。調味料収納部３は開口面１０５の表示１０８（図１に記載）で表示された調味料を内部に収納し、調味料収納部４は開口面１０６の表示１０９（図１に記載）で表示された調味料を内部に収納している。調味料収納部３，４は破断し易い樹脂シート等の材質で袋状になっている。また調味料収納部破断辺３１，４１は直線的になっておりシート５の逃げ穴５１、５２をまたいでいて調味料収納部固定辺３２、４２はシート５に接着またはリベットで固定されている。
なお調味料収納部３，４は、シート５を使用せずに開口面１０５，１０６をまたいで缶蓋１に接着やリベットで直接固定してもよい。
【００１３】
図３は本考案のプルトップ缶の開封前を示すもので、同図（ａ）は上から見た缶蓋平面図で、タブ２の指掛け部２３が開口面１０６の絞り込まれた面上にあり、同図（ｃ）ＣーＣ断面図のようにタブ２にあるディンプル２４，２５は開口面１０６とは接触していないため、同図（ｂ）Ｂ−Ｂ断面図で示すようにタブ２は水平になっている。
【００１４】
図４は、本考案のプルトップ缶で顧客が調味料を選択した開封位置を示したもので、同図（ａ）は上から見た缶蓋平面図でタブ２を図３の位置から矢印方向に回転させ、希望の調味料の表示１０８に端部２２を合わせた状態である。この時、同図（ａ）Ｅ−Ｅ断面図のようにタブ２にあるタブ側段差のディンプル２４は開口面１０６，１０７をつなぐ段差面１２０を一端のりあげ、ディンプル２５は段差面１２０に当たった位置で、ディンプル２４，２５は段差１２０、１２１を跨いだ状態になり、タブ２は回転方向で位置決めされることになる。またディンプル２４，２５の間隔は段差面１２０，１２１をつなぐ間隔より若干狭くなっているため、同図（ｂ）Ｄ−Ｄ断面図に示すようにタブ２端の部２２が開口面1０５に接触する方向に近づき、指掛け部２３は缶蓋上面１０４から離れるようになり、下面の指逃げ部１１３とともに指の引っかかりスペースを拡大することになる。
【００１５】
図５は図４からタブ２の指掛け部２３を矢印方向に引き上げ、調味料収納部３を切り裂いた状態を示した缶蓋断面図で、端部２２が開口面１０５を押すことで、開口用スコア１０１が破断したところを破断開口片１１８と示している。この破断開口片１１８が缶内部(図示せず)に折れ曲がり、内部の調味料収納部破断辺３１を押し込み、袋を突き破り内部の調味料を放出することになる。この時、切り裂かれた調味料収納部３は、缶内部に押し込まれるため、飲む時の妨げにならない。  
【００１６】
図６は他の実施例のプルトップ缶の開封前を示すもので、２種の嗜好の飲料を提供するものである。同図（ａ）は上から見た缶蓋平面図で、同図（ｂ）は缶蓋内面側平面図である。同図（ａ）で缶蓋１には図１の開口部用スコア１０２と表示１０９がなく、２箇所の開口用スコア１０１、１０３と２箇所の開口面１０５、１０７があり、もう一箇所は同形状の絞り面１１９がある。同図（ｂ）では、シート５は扇状の逃げ穴５１，５２，５３があって、缶蓋１とリベット１１５，１１６，１１７で固定されている。調味料収納部３は開口面１０５の表示１０８（同図（ａ）に記載）で表示された調味料を内部に収納し、調味料収納部４は開口面１０７の表示１１０（同図（ａ）に記載）で表示された調味料を内部に収納している。ここでは紅茶飲料でのレモンティーを示すＬとミルクティーを示すＭの表示がある。
【００１７】
図７は、他の実施例のプルトップ缶で顧客が選択した調味料での開封位置を示すもので、缶の上から見た缶蓋平面図で、タブ２を図６の位置から矢印方向に回転させ、希望の調味料の表示１０８に端部２２を合わせた状態である。この図においてもタブ２はタブ側段差のディンプル２４、２５と缶蓋の段差１２０、１２１（図４に示す）により位置決めされ、指掛け部２３が上側に傾くことになる。さらに指掛け部２３を引き上げることにより、図５と同様に端部２２が開口面１０５を押すことで破断開口片１１８が缶内部(図示せず)に折れ曲がり、内部の調味料収納部破断辺３１を押し込み、袋を突き破り内部の調味料を放出することになる。
【産業上の利用可能性】
【００１８】
本考案は、顧客の嗜好に合わせ例えばコーヒー飲料ではブラック、シロップ入り、ミルク入りと選択でき、紅茶ではレモンティーやミルクティーと一つ缶で２種選択できる。また飲んでいる途中に、味に変化を付けたい場合は他の調味料を追加することも可能となる。
【符号の説明】
【００１９】
１        缶蓋
１０１    開口用スコア
１０２    開口用スコア
１０３    開口用スコア
１０４    缶蓋上面
１０５    開口面
１０６    開口面
１０７    開口面
１０８    表示
１０９    表示
１１０    表示
１１１    リベット
１１２    ユビ逃げ部
１１３    指逃げ部
１１４    指逃げ部
１１５    リベット
１１６    リベット
１１７    リベット
１１８    破断開口片
１１９    絞り面
１２０    段差面
１２１    段差面
２        タブ
２１      回転穴
２２      端部
２３      指掛け部
２４      ディンプル
２５      ディンプル
３        調味料収納部
３１      調味料収納部破断辺
３２      調味料収納部固定辺
４        調味料収納部
４１      調味料収納部破断辺
４２      調味料収納部固定辺
５        シート
５１      逃げ穴
５２      逃げ穴
５３      逃げ穴
【図１】
0003163303.tif 000003
【図２】
0003163303.tif 000004
【図３】
0003163303.tif 000005
【図４】
0003163303.tif 000006
【図５】
0003163303.tif 000007
【図６】
0003163303.tif 000008
【図７】
0003163303.tif 000009